【手続補正書】
【提出日】平成18年4月24日(2006.4.24)
【手続補正１】
【補正対象書類名】明細書
【補正対象項目名】発明の名称
【補正方法】変更
【補正の内容】
【発明の名称】映像読取装置および画像形成装置
【手続補正２】
【補正対象書類名】明細書
【補正対象項目名】特許請求の範囲
【補正方法】変更
【補正の内容】
【特許請求の範囲】
【請求項１】  記録媒体の表面の映像を読み取って光電変換する読取素子と、
前記読取素子により読み取られた映像情報をデジタル値に変換するＡ／Ｄ変換回路と、
前記Ａ／Ｄ変換回路によってデジタル値に変換された映像情報にもとづいて、前記記録媒体の種類を判別するための平滑特性に関するパラメータを演算する演算回路と、
前記演算回路の演算結果を出力する出力部と、
を備えたモノリシックな半導体デバイスからなることを特徴とする映像読取装置。
【請求項２】  請求項１に記載の映像読取装置において、
前記演算回路は、前記映像情報の濃度のコントラスト値を演算し、該演算結果を出力することを特徴とする映像読取装置。
【請求項３】  請求項１に記載の映像読取装置において、
前記演算回路は、前記映像情報の濃度を２値化し、２値化された映像情報のエッジ数を計算し、該計算結果を出力することを特徴とする映像読取装置。
【請求項４】  請求項１に記載の映像読取装置において、
前記出力部は、前記演算回路の演算結果を、前記Ａ／Ｄ変換回路によりＡ／Ｄ変換された映像情報に付加して出力することを特徴とする映像読取装置。
【請求項５】  請求項４に記載の映像読取装置において、
前記出力部は、前記Ａ／Ｄ変換された映像情報を出力する際は、無効画素についての情報を出力しないことを特徴とする映像読取装置。
【請求項６】  請求項５に記載の映像読取装置において、
Ａ／Ｄ変換された前記映像情報の有効画素領域が可変であることを特徴とする映像読取装置。
【請求項７】  請求項１に記載の映像読取装置において、
前記Ａ／Ｄ変換回路から出力される値が所定値を上回っていた場合にオーバフロービットを、所定値を下回っていた場合にアンダフロービットを出力することを特徴とする映像読取装置。
【請求項８】  記録媒体の表面を照射する発光素子と、前記記録媒体からの反射光を受光する映像読取部とを備えた映像読取装置であって、
前記映像読取部は、記録媒体の表面の映像を読み取って光電変換する読取素子と、
前記読取素子により読み取られた映像情報をデジタル値に変換するＡ／Ｄ変換回路と、
前記Ａ／Ｄ変換回路によってデジタル値に変換された映像情報にもとづいて、前記記録媒体の種類を判別するための平滑特性に関するパラメータを演算する演算回路と、
前記演算回路の演算結果を出力する出力部と、
を備えたモノリシックな半導体デバイスであることを特徴とする映像読取装置。
【請求項９】  請求項８に記載の映像読取装置において、
前記記録媒体からの反射光を集光するためのレンズが、前記記録媒体と前記読取素子の間に設けられていることを特徴とする映像読取装置。
【請求項１０】  請求項８に記載の映像読取装置において、
前記演算回路は、前記映像情報の濃度のコントラスト値を演算し、該演算結果を出力することを特徴とする映像読取装置。
【請求項１１】  請求項８に記載の映像読取装置において、
前記演算回路は、前記映像情報の濃度を２値化し、２値化された映像情報のエッジ数を計算し、該計算結果を出力することを特徴とする映像読取装置。
【請求項１２】  請求項８に記載の映像読取装置において、
前記出力部は、前記演算回路の演算結果を、前記Ａ／Ｄ変換回路によりＡ／Ｄ変換された映像情報に付加して出力することを特徴とする映像読取装置。
【請求項１３】  請求項１２に記載の映像読取装置において、
前記出力部は、前記Ａ／Ｄ変換された映像情報を出力する際は、無効画素についての情報を出力しないことを特徴とする映像読取装置。
【請求項１４】  請求項１３に記載の映像読取装置において、
Ａ／Ｄ変換された前記映像情報の有効画素領域が可変であることを特徴とする映像読取装置。
【請求項１５】  請求項８に記載の映像読取装置において、
前記Ａ／Ｄ変換回路から出力される値が所定値を上回っていた場合にオーバフロービットを、所定値を下回っていた場合にアンダフロービットを出力することを特徴とする映像読取装置。
【請求項１６】  記録媒体に画像を形成する画像形成部と、
前記記録媒体の表面の映像を読み取る映像読取部と、
前記映像読取部の読取結果にもとづいて前記記録媒体の種頴を判別する判別部と、
前記判別部の判別結果にもとづいて前記画像形成部の画像形成条件を設定する設定部と、
を備えた画像形成装置であって、
前記映像読取部は、記録媒体の表面の映像を読み取って光電変換する読取素子と、
前記読取素子により読み取られた映像情報をデジタル値に変換するＡ／Ｄ変換回路と、
前記Ａ／Ｄ変換回路によってデジタル値に変換された映像情報にもとづいて、前記記録媒体の種類を判別するための平滑特性に関するパラメータを演算する演算回路と、
前記演算回路の演算結果を出力する出力部と、
を備えたモノリシックな半導体デバイスであることを特徴とする画像形成装置。
【請求項１７】  請求項１６に記載の画像形成装置において、
前記記録媒体からの反射光を集光するためのレンズが、前記記録媒体と前記読取素子の間に設けられていることを特徴とする画像形成装置。
【請求項１８】  請求項１６に記載の画像形成装置において、
前記演算回路は、前記映像情報の濃度のコントラスト値を演算し、該演算結果を出力することを特徴とする画像形成装置。
【請求項１９】  請求項１６に記載の画像形成装置において、
前記演算回路は、前記映像情報の濃度を２値化し、２値化された映像情報のエッジ数を計算し、該計算結果を出力することを特徴とする映像読取装置。
【請求項２０】  請求項１６に記載の画像形成装置において、
前記出力部は、前記演算回路の演算結果を、前記Ａ／Ｄ変換回路によりＡ／Ｄ変換された映像情報に付加して出力することを特徴とする画像形成装置。
【請求項２１】  請求項１６に記載の画像形成装置において、
前記出力部は、前記Ａ／Ｄ変換された映像情報を出力する際は、無効画素についての情報を出力しないことを特徴とする画像形成装置。
【請求項２２】  請求項２１に記載の画像形成装置において、
Ａ／Ｄ変換された前記映像情報の有効画素領域が可変であることを特徴とする画像得形成装置。
【請求項２３】  請求項１６に記載の画像形成装置において、
前記Ａ／Ｄ変換回路から出力される値が所定値を上回っていた場合にオーバフロービットを、所定値を下回っていた場合にアンダフロービットを出力することを特徴とする画像形成装置。
【請求項２４】  請求項１６に記載の画像形成装置において、
前記オーバフロービットまたは前記アンダフロービットにもとづいて、不良画素が存在するか否かを判定する不良判定部を備えたことを特徴とする画像形成装置。
【手続補正３】
【補正対象書類名】明細書
【補正対象項目名】００８２
【補正方法】削除
【補正の内容】
【手続補正４】
【補正対象書類名】明細書
【補正対象項目名】００８３
【補正方法】削除
【補正の内容】
【手続補正５】
【補正対象書類名】明細書
【補正対象項目名】００８４
【補正方法】削除
【補正の内容】
【手続補正６】
【補正対象書類名】明細書
【補正対象項目名】００８５
【補正方法】削除
【補正の内容】
【手続補正７】
【補正対象書類名】明細書
【補正対象項目名】００８６
【補正方法】削除
【補正の内容】
【手続補正８】
【補正対象書類名】明細書
【補正対象項目名】００８７
【補正方法】削除
【補正の内容】
【手続補正９】
【補正対象書類名】明細書
【補正対象項目名】００８８
【補正方法】削除
【補正の内容】
【手続補正１０】
【補正対象書類名】明細書
【補正対象項目名】００８９
【補正方法】削除
【補正の内容】
【手続補正１１】
【補正対象書類名】明細書
【補正対象項目名】００９０
【補正方法】削除
【補正の内容】
【手続補正１２】
【補正対象書類名】明細書
【補正対象項目名】００９１
【補正方法】削除
【補正の内容】
【手続補正１３】
【補正対象書類名】明細書
【補正対象項目名】００９２
【補正方法】削除
【補正の内容】
【手続補正１４】
【補正対象書類名】明細書
【補正対象項目名】００９３
【補正方法】削除
【補正の内容】
【手続補正１５】
【補正対象書類名】明細書
【補正対象項目名】００９４
【補正方法】削除
【補正の内容】
【手続補正１６】
【補正対象書類名】明細書
【補正対象項目名】００９５
【補正方法】削除
【補正の内容】
【手続補正１７】
【補正対象書類名】明細書
【補正対象項目名】００９６
【補正方法】削除
【補正の内容】
【手続補正１８】
【補正対象書類名】明細書
【補正対象項目名】００９７
【補正方法】削除
【補正の内容】
【手続補正１９】
【補正対象書類名】明細書
【補正対象項目名】００９８
【補正方法】削除
【補正の内容】
【手続補正２０】
【補正対象書類名】明細書
【補正対象項目名】００９９
【補正方法】削除
【補正の内容】
【手続補正２１】
【補正対象書類名】明細書
【補正対象項目名】０１００
【補正方法】削除
【補正の内容】
【手続補正２２】
【補正対象書類名】明細書
【補正対象項目名】０１０１
【補正方法】削除
【補正の内容】
【手続補正２３】
【補正対象書類名】明細書
【補正対象項目名】０１０２
【補正方法】削除
【補正の内容】
【手続補正２４】
【補正対象書類名】明細書
【補正対象項目名】０１０３
【補正方法】削除
【補正の内容】
【手続補正２５】
【補正対象書類名】明細書
【補正対象項目名】０１０４
【補正方法】削除
【補正の内容】
【手続補正２６】
【補正対象書類名】明細書
【補正対象項目名】０１０５
【補正方法】削除
【補正の内容】
【手続補正２７】
【補正対象書類名】明細書
【補正対象項目名】０１０６
【補正方法】削除
【補正の内容】